【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
動作検出手段部に加えられた加速度を該動作検出手段部に固定した直交するｘ、y 、ｚ軸の各軸方向別に検出する動作検出手段と、
該動作検出手段により検出した前記ｘ、ｙ、ｚ軸方向の加速度を空間に固定した直交するＸ、Ｙ軸を含むＸＹ平面に投影する座標変換手段と、
前記ＸＹ平面上における加速度変化の複数の標準パターンとそのパターン・コードを予め記憶する記憶手段と、
前記動作検出手段部に加えられた加速度の前記ＸＹ平面上への投影パターンを前記記憶手段が記憶する前記複数の標準パターンと比較して何れの標準パターンに一致するかを判定するパターン判定手段と、
該パターン判定手段が一致と判定した標準パターンの前記パターン・コードを前記記憶手段より読み出して外部出力する出力手段と、
被操作機器を特定する情報の入力を受ける入力手段とを備え、
前記記憶手段に前記被操作機器の機器コードを予め更に記憶しておき、
前記出力手段は、前記入力手段が前記被操作機器を特定する情報の入力を受けた後に前記パターン判定手段が一致と判定した標準パターンの前記パターン・コードを外部出力する際には、前記入力手段が入力を受けた被操作機器を特定する情報に基づいて特定した被操作機器の機器コードを前記記憶手段より読み出して前記パターン・コードと共に外部出力することを特徴とする空間操作入力装置。
【請求項２】
請求項１に記載の空間操作入力装置であって、前記Ｙ軸方向は重力加速度Ｇ方向に平行な方向としたことを特徴とする空間操作入力装置。
【請求項３】
請求項１又は２に記載の空間操作入力装置であって、動作検出手段部は断面が扁平な棒状に形成し、前記ｘ軸方向は該扁平棒状形状の幅方向とし、前記ｙ軸方向は該扁平棒状形状の厚み方向とし、前記ｚ軸方向は該扁平棒状形状の長手方向としたことを特徴とする空間操作入力装置。
【請求項４】
請求項１乃至３の何れかに記載の空間操作入力装置であって、前記出力手段は外部出力する情報を無線通信にて出力することを特徴とする空間操作入力装置。
【請求項５】
請求項１乃至４の何れかに記載の空間操作入力装置であって、前記入力手段に代えて、又は前記入力手段に加えて操作者の発声音声を認識する音声認識手段を備え、
前記記憶手段には前記被操作機器を特定する情報の発声音声をも予め記憶させておき、
前記入力手段は、前記音声認識手段が認識した操作者の発声音声が前記記憶手段に記憶した前記被操作機器を特定する情報の発声音声と一致するか判定し、一致する発声音声が存在した場合には、一致した発声音声に対応した前記情報の入力を受けたものとみなすことを特徴とする空間操作入力装置。
【請求項６】
１乃至複数の家電機器と、請求項１乃至５の何れかに記載の空間操作入力装置からなる家電機器システムであって、前記家電機器は前記空間操作入力装置が出力する前記機器コードとパターン・コードを受信する受信手段と、前記パターン・コードを受信した場合に実行する動作内容をパターン・コード別に記載した対応表を備え、
前記受信手段が自己を指定する機器コードが添付されたパターン・コードを受信した場合には、該パターン・コードに対して記載された動作内容を前記対応表から読み取って実行に移すことを特徴とする家電機器システム。
【請求項７】
請求項６に記載の家電機器システムであって、前記家電機器は、「電源ＯＮ」、「電源ＯＦＦ」、「一時停止」等の各家電機器に共通する動作内容については同じパターン・コードを対応させておくことを特徴とする家電機器システム。
【手続補正２】
【補正対象書類名】明細書
【補正対象項目名】０００７
【補正方法】変更
【補正の内容】
【０００７】
前記課題を解決するための請求項１に記載の発明は、動作検出手段部に加えられた加速度を該動作検出手段部に固定した直交するｘ、y 、ｚ軸の各軸方向別に検出する動作検出手段と、該動作検出手段により検出した前記ｘ、ｙ、ｚ軸方向の加速度を空間に固定した直交するＸ、Ｙ軸を含むＸＹ平面に投影する座標変換手段と、前記ＸＹ平面上における加速度変化の複数の標準パターンとそのパターン・コードを予め記憶する記憶手段と、前記動作検出手段部に加えられた加速度の前記ＸＹ平面上への投影パターンを前記記憶手段が記憶する前記複数の標準パターンと比較して何れの標準パターンに一致するかを判定するパターン判定手段と、該パターン判定手段が一致と判定した標準パターンの前記パターン・コードを前記記憶手段より読み出して外部出力する出力手段と、被操作機器を特定する情報の入力を受ける入力手段とを備え、前記記憶手段に前記被操作機器の機器コードを予め更に記憶しておき、前記出力手段は、前記入力手段が前記被操作機器を特定する情報の入力を受けた後に前記パターン判定手段が一致と判定した標準パターンの前記パターン・コードを外部出力する際には、前記入力手段が入力を受けた被操作機器を特定する情報に基づいて特定した被操作機器の機器コードを前記記憶手段より読み出して前記パターン・コードと共に外部出力することを特徴とする空間操作入力装置である。
【手続補正３】
【補正対象書類名】明細書
【補正対象項目名】０００８
【補正方法】変更
【補正の内容】
【０００８】
ここで、本明細書で使用している２つのパターンの「一致」とは、２つのパターンの形状についての特徴の類似度が高い場合を指しているものとする。
このような構成の空間操作入力装置によれば、空間操作入力装置を空間で３次元的に動かすことで被操作機器に意図する操作内容を実行させることとなるパターン・コードを送ることができる。このような動作で被操作機器に指示を与えることができるので、操作パネルの小さな文字を読んだり小さなスイッチを操作したりする必要がなくなる。特に、周囲が暗い状態でも殆ど不自由を感じることなく操作を行なうことができる。また、本構成の場合は、空間での３次元の動作パターンを空間に固定したＸＹ平面に投影し、投影されてできた２次元の動作パターンを２次元の標準動作パターンと比較して出力すべきパターン・コードを決定するので、３次元の動作パターンを３次元の標準動作パターンと比較して決定する場合に比べパターンの一致、類似の判定計算が簡単になる利点がある。
さらに、複数の被操作機器の中から選択した被操作機器に対して意図する操作内容に対応したパターン・コードを送信させることができ、１式の空間操作入力装置でもって複数の被操作機器を遠隔操作することが可能となる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
また、請求項４に記載の発明は、請求項１乃至３の何れかに記載の空間操作入力装置であって、前記出力手段は外部出力する情報を無線通信にて出力することを特徴とする。
このように無線通信にて出力すれば、被操作機器から遠く離れた場所からの操作が容易となる。
【手続補正１１】
【補正対象書類名】明細書
【補正対象項目名】００１９
【補正方法】変更
【補正の内容】
【００１９】
また、請求項５に記載の発明は、請求項１乃至４の何れかに記載の空間操作入力装置であって、前記入力手段に代えて、又は前記入力手段に加えて操作者の発声音声を認識する音声認識手段を備え、前記記憶手段には前記被操作機器を特定する情報の発声音声をも予め記憶させておき、前記入力手段は前記音声認識手段が認識した操作者の発声音声が前記記憶手段に記憶した前記被操作機器を特定する情報の発声音声と一致するか判定し、一致する発声音声が存在した場合には、一致した発声音声に対応した前記情報の入力を受けたものとみなすことを特徴とする。
【手続補正１２】
【補正対象書類名】明細書
【補正対象項目名】００２１
【補正方法】変更
【補正の内容】
【００２１】
また、請求項６に記載の発明は、１乃至複数の家電機器と、請求項１乃至５の何れかに記載の空間操作入力装置からなる家電機器システムであって、前記家電機器は前記空間操作入力装置が出力する前記機器コードとパターン・コードを受信する受信手段と、前記パターン・コードを受信した場合に実行する動作内容をパターン・コード別に記載した対応表を備え、前記受信手段が自己を指定する機器コードが添付されたパターン・コードを受信した場合には、該パターン・コードに対して記載された動作内容を前記対応表から読み取って実行に移すことを特徴とする家電機器システムである。
【手続補正１３】
【補正対象書類名】明細書
【補正対象項目名】００２３
【補正方法】変更
【補正の内容】
【００２３】
また、請求項７に記載の発明は、請求項６に記載の家電機器システムであって、前記家電機器は、「電源ＯＮ」、「電源ＯＦＦ」、「一時停止」等の各家電機器に共通する動作内容については同じパターン・コードを対応させておくことを特徴とする。
【手続補正１４】
【補正対象書類名】明細書
【補正対象項目名】００３２
【補正方法】変更
【補正の内容】
【００３２】
同様に家電機器４も自己の機器コードが添付されたパターン・コード「Ｐ０１」、「Ｐ０２」、「Ｐ０３」等を受信した場合に行なう動作を予め決めておく。この場合、同じパターン・コードに対して家電機器３と家電機器４が同じ動作を行なうように決めておく必要はない。例えば、パターン・コード「Ｐ０１」に対する動作を家電機器４は「電源ＯＮ」、家電機器３は「脱水運転開始」、パターン・コード「Ｐ０２」に対する動作を家電機器３は「電源ＯＦＦ」、家電機器４は「電源ＯＮ」と決めても差し支えない。
【手続補正１５】
【補正対象書類名】明細書
【補正対象項目名】００７０
【補正方法】変更
【補正の内容】
【００７０】
上記第２、第３の手段の仮定が成立した状態で動かすということは、ｘ軸は常にＸ軸と一致するように、ｙ軸はＹ軸に対して常にθの角度を維持するようにして動かすということである。そのような動かし方は、黒板にチョークを使用して文字を書く場合の動かし方に似ている。黒板に文字を書く場合には、通常、チョークの軸方向と黒板面との角度はほぼ一定に維持された状態で文字が書かれるからである。